(57)【要約】【課題】熱交換型換気装置を屋外に設置する場合における熱交換効率の低下を抑制することができる熱交換型換気システムを得る。【解決手段】本発明に係る熱交換型換気システムは、外気取り入れ口１ｂから室外の空気を取り込んで室内に吹き出す給気風路１５、および室内の空気を取り込んで排気吹き出し口１ｃから吹き出す排気風路１６を備え、給気風路１５と排気風路１６を流れる流体間で熱交換を行う熱交換型換気装置１と、熱交換型換気装置１を収納する外装ボックス２と、を備え、外装ボックス２は、空気が通過するガラリ２０が形成され、熱交換型換気装置１は、外気取り入れ口１ｂまたは排気吹き出し口１ｃのいずれか一方が、外装ボックス２を貫通するダクト配管を介して室外と連通し、外気取り入れ口１ｂまたは排気吹き出し口１ｃの他方が、外装ボックス２のガラリ２０を介して室外と連通したものである。【選択図】図１
2015129621.tif 000002
【特許請求の範囲】
【請求項１】
外気取り入れ口から室外の空気を取り込んで室内に吹き出す給気風路、および前記室内の空気を取り込んで排気吹き出し口から吹き出す排気風路を備え、前記給気風路と前記排気風路を流れる流体間で熱交換を行う熱交換型換気装置と、
前記熱交換型換気装置を収納する外箱と、
を備え、
前記外箱は、空気が通過する通気口が形成され、
前記熱交換型換気装置は、
前記外気取り入れ口または前記排気吹き出し口のいずれか一方が、前記外箱を貫通するダクト配管を介して前記室外と連通し、
前記外気取り入れ口または前記排気吹き出し口の他方が、前記外箱の前記通気口を介して前記室外と連通した
ことを特徴とする熱交換型換気システム。
【請求項２】
前記外箱の前記通気口は、
前記外気取り入れ口および前記排気吹き出し口と対向しない面に形成された
ことを特徴とする請求項１に記載の熱交換型換気システム。
【請求項３】
前記熱交換型換気装置は、
前記外気取り入れ口が、前記外箱を貫通するダクト配管を介して前記室外と連通し、
前記排気吹き出し口が、前記外箱の前記通気口を介して前記室外と連通した
ことを特徴とする請求項１または２に記載の熱交換型換気システム。
【請求項４】
前記熱交換型換気装置は、
前記排気吹き出し口が、前記外箱を貫通するダクト配管を介して前記室外と連通し、
前記外気取り入れ口が、前記外箱の前記通気口を介して前記室外と連通した
ことを特徴とする請求項１または２に記載の熱交換型換気システム。
【請求項５】
前記外箱は、
前記外気取り入れ口および前記排気吹き出し口と対向する位置に、前記ダクト配管が貫通する貫通口がそれぞれ形成され、
前記熱交換型換気装置は、
前記外気取り入れ口または前記排気吹き出し口のいずれか一方に、前記貫通口を貫通した前記ダクト配管が着脱自在に接続され、
前記外気取り入れ口または前記排気吹き出し口の他方に対向する前記貫通口が、閉塞部材によって閉塞される
ことを特徴とする請求項１または２に記載の熱交換型換気システム。
【請求項６】
前記外箱を貫通するダクト配管を介して、前記外気取り入れ口と前記室外とを連通させる風路と、前記外箱の前記通気口を介して、前記外気取り入れ口と前記室外とを連通させる風路とを切り替える第１風路切替手段と、
前記外箱を貫通するダクト配管を介して、前記排気吹き出し口と前記室外とを連通させる風路と、前記外箱の前記通気口を介して、前記排気吹き出し口と前記室外とを連通させる風路とを切り替える第２風路切替手段と、
を更に備えた
ことを特徴とする請求項１または２に記載の熱交換型換気システム。
【発明の詳細な説明】
【技術分野】
【０００１】
この発明は、室内の空気を室外へ排出する排気流と、室外の空気を室内へ給気する給気流との間で熱交換を行う熱交換型換気装置を備えた熱交換型換気システムに関する。
【背景技術】
【０００２】
従来の技術においては、例えば、熱交換ケーシング内に給気流と排気流間での熱交換を行う熱交換器を組み込んだ熱交換ユニットを積み重ねて構成した熱交換換気装置について、その外殻の周囲を取付金具によって所定の空間をおいて雨避けカバーで覆うものが提案されている（例えば、特許文献１参照）。
【先行技術文献】
【特許文献】
【０００３】
【特許文献１】特開２００３−２９４２８８号公報（要約）
【発明の概要】
【発明が解決しようとする課題】
【０００４】
熱交換型換気装置を屋外に設置する際には、風雨等から守るために熱交換型換気装置の周りを外装ボックス（外箱）で覆う必要がある。
しかしながら、熱交換型換気装置を外装ボックスに収納した熱交換型換気システムが屋外（室外）に設置された場合、熱交換型換気装置の周囲温度が外気温度の影響を受け、熱交換効率が低下する、という問題点があった。
例えば夏季では日光の直射による放射熱によって外装ボックスの壁面温度が上昇し、それによって外装ボックスと熱交換型換気装置との空間の温度が上昇する。このため、熱交換型換気装置の筐体（本体）が暖められてしまい熱交換効率（熱回収効果）が低下する、という問題点があった。また、熱交換型換気装置の周囲温度が使用可能温度の上限を超えてしまう、という問題点があった。
【０００５】
また冬季では、外気温度が低下した場合に、室内からの暖かい排気と室外からの冷たい給気とを熱交換する際に、外気温度が低いほど室内へ供給される空気温度が低下する。また、排気中の水分が凝縮して水となり、熱交換型換気装置の外へ流出する、という問題点があった。
それらを防ぐためには熱交換型換気装置に取り入れる外気を予め加熱（プレヒート）するヒータ等の装置を設けることが考えられる。しかし、プレヒートするための装置を別途設ける必要があり、製造コストおよび消費エネルギーが増加してしまう、という問題点があった。
【０００６】
本発明は、上記のような課題を解決するためになされたもので、熱交換型換気装置を屋外に設置する場合における熱交換効率の低下を抑制することができる熱交換型換気システムを得ることを目的とする。
また、製造コストおよび消費エネルギーの増大を抑制しつつ外気をプレヒートすることができる熱交換型換気システムを得ることを目的とする。
【課題を解決するための手段】
【０００７】
本発明に係る熱交換型換気システムは、外気取り入れ口から室外の空気を取り込んで室内に吹き出す給気風路、および前記室内の空気を取り込んで排気吹き出し口から吹き出す排気風路を備え、前記給気風路と前記排気風路を流れる流体間で熱交換を行う熱交換型換気装置と、前記熱交換型換気装置を収納する外箱と、を備え、前記外箱は、空気が通過する通気口が形成され、前記熱交換型換気装置は、前記外気取り入れ口または前記排気吹き出し口のいずれか一方が、前記外箱を貫通するダクト配管を介して前記室外と連通し、前記外気取り入れ口または前記排気吹き出し口の他方が、前記外箱の前記通気口を介して前記室外と連通したものである。
【発明の効果】
【０００８】
本発明は、熱交換型換気装置の外気取り入れ口または排気吹き出し口のいずれか一方が、外箱を貫通するダクト配管を介して室外と連通する。また、熱交換型換気装置の外気取り入れ口または排気吹き出し口の他方が、外箱の通気口を介して室外と連通する。
このため、熱交換型換気装置を屋外に設置する場合における熱交換効率の低下を抑制することができる。
【図面の簡単な説明】
【０００９】
【図１】実施の形態１に係る熱交換型換気システムの概略斜視図である。
【図２】実施の形態１に係る熱交換型換気システムの概略構成図である。
【図３】実施の形態２に係る熱交換型換気システムの概略斜視図である。
【図４】実施の形態２に係る熱交換型換気システムの概略構成図である。
【図５】実施の形態３に係る熱交換型換気システムの外装ボックス２の外形を示す斜視図である。
【図６】実施の形態３に係る熱交換型換気システムの外装ボックス２の外形を示す斜視図である。
【図７】実施の形態４に係る熱交換型換気システムの概略構成図である。
【図８】実施の形態４に係る熱交換型換気システムの概略構成図である。
【発明を実施するための形態】
【００１０】
以下に、本発明に係る熱交換型換気システムの実施の形態を図面に基づいて詳細に説明する。なお、この実施の形態によりこの発明が限定されるものではない。
【００１１】
実施の形態１．
図１は、実施の形態１に係る熱交換型換気システムの概略斜視図である。
図２は、実施の形態１に係る熱交換型換気システムの概略構成図である。
なお、図１及び図２の矢印は空気の流れを示している。
図１及び図２に示すように、熱交換型換気システムは、熱交換型換気装置１と、この熱交換型換気装置１を収納する外装ボックス２とを備える。
【００１２】
熱交換型換気装置１は、概略箱状の本体の内部に、全熱交換器１０と、給気用送風機１１ａと、排気用送風機１１ｃとが設けられている。
また、熱交換型換気装置１の本体には、室内空気吹き出し口１ａと、外気取り入れ口１ｂと、排気吹き出し口１ｃと、室内空気吸い込み口１ｄとが開口している。
【００１３】
熱交換型換気装置１の本体の内部には、給気風路１５と排気風路１６とが形成されている。給気風路１５と排気風路１６は、本体内に設けられた全熱交換器１０にて交差するように延びている。
給気風路１５内には、給気用送風機１１ａが配置されている。給気用送風機１１ａが動作すると、外気取り入れ口１ｂから室外の空気（ＯＡ）が吸い込まれ、吸い込まれた空気は全熱交換器１０を通過して熱交換され、調整空気（ＳＡ）が室内空気吹き出し口１ａから室内へと供給される。
排気風路１６内には、排気用送風機１１ｃが配置されている。排気用送風機１１ｃが動作すると、室内空気吸い込み口１ｄから室内の空気（ＲＡ）が吸い込まれ、吸い込まれた空気は全熱交換器１０を通過して熱交換され、排気（ＥＡ）が排気吹き出し口１ｃから室外へと供給される。
【００１４】
全熱交換器１０は、例えば互いに直交する通風路が交互に積層された構造を有している。全熱交換器１０は、その通風路に室内の空気（ＲＡ）と室外の空気（ＯＡ）とが通過することで両気流の間で全熱交換を行うものである。
【００１５】
室内空気吹き出し口１ａは、外装ボックス２を貫通する室内給気ダクト３ａを介して室内と連通している。室内給気ダクト３ａは、室内空気吹き出し口１ａから室内への風路を形成する。
室内空気吸い込み口１ｄは、外装ボックス２を貫通する室内排気ダクト３ｄを介して室内と連通している。室内排気ダクト３ｄは、室内から室内空気吸い込み口１ｄへの風路を形成する。
【００１６】
外気取り入れ口１ｂは、外装ボックス２を貫通する外気給気ダクト３ｂを介して室外（屋外）と連通している。外気給気ダクト３ｂは、室外から外気取り入れ口１ｂへの風路を形成する。
排気吹き出し口１ｃは、熱交換型換気装置１の本体外側と外装ボックス２の内部との間の空間と連通している。
【００１７】
外装ボックス２は、概略箱状に形成されており、内部に熱交換型換気装置１を収納している。
外装ボックス２には、室内給気ダクト３ａが貫通する貫通口２ａと、外気給気ダクト３ｂが貫通する貫通口２ｂと、室内排気ダクト３ｄが貫通する貫通口２ｄとが形成されている。
なお、図１においては理解を容易にするため、各貫通口と各ダクトとの間を空けて図示しているが、実際には隙間は設けられてはおらず、各貫通口と各ダクトとの間から空気が流通するものではない。
なお、外装ボックス２は、本発明における「外箱」に相当する。
【００１８】
外装ボックス２には、空気が通過するガラリ２０が少なくとも１つ形成されている。
外装ボックス２の内壁のうち、少なくとも排気吹き出し口１ｃと対向する内壁とガラリ２０が形成された内壁は、熱交換型換気装置１との間に間隔が設けられている。つまり、外装ボックス２の内壁と排気吹き出し口１ｃとの間には空間が形成され、この空間はガラリ２０を介して室外と連通する。
なお、ガラリ２０は、本発明における「通気口」に相当する。
【００１９】
ガラリ２０は、外装ボックス２の壁面のうち、外気取り入れ口１ｂおよび排気吹き出し口１ｃと対向しない面に形成されている。
例えば図１及び図２に示すように、外気取り入れ口１ｂ及び排気吹き出し口１ｃは、熱交換型換気装置１の本体の同じ側面に形成されている。この場合には、外気取り入れ口１ｂ及び排気吹き出し口１ｃと対向する側面には、ガラリ２０が設けられていない。
このガラリ２０は、熱交換型換気装置１の排気吹き出し口１ｃから遠い位置に形成されるのが望ましい。
なお、図１及び図２に示す例では、外装ボックス２の側面にガラリ２０を形成しているが、本発明はこれに限らず天面及び下面に設けても良い。また、外気取り入れ口１ｂ及び排気吹き出し口１ｃと対向する側面とは反対側の側面のみに設ける構成でも良い。これにより、排気吹き出し口１ｃとガラリ２０との間の風路の距離を長くすることができる。
【００２０】
このような構成により、熱交換型換気装置１が動作すると、室外の空気（ＯＡ）が外気給気ダクト３ｂから外気取り入れ口１ｂへ吸い込まれる。吸い込まれた室外の空気（ＯＡ）は、給気風路１５を流れ、全熱交換器１０を通過して熱交換される。そして、熱交換された調整空気（ＳＡ）が、室内空気吹き出し口１ａから室内給気ダクト３ａを通過して室内へと供給される。
また、室内の空気（ＲＡ）が室内排気ダクト３ｄから室内空気吸い込み口１ｄへ吸い込まれる。吸い込まれた室内の空気（ＲＡ）は、排気風路１６を流れ、全熱交換器１０を通過して熱交換される。そして、熱交換された排気（ＥＡ）が、排気吹き出し口１ｃから外装ボックス２の内部へ排出される。外装ボックス２の内部に排出された排気流（Ａ）は、外装ボックス２の内壁と熱交換型換気装置１との間の空間を流通し、ガラリ２０から室外へと排出される。
【００２１】
以上のように本実施の形態１においては、熱交換型換気装置１の排気吹き出し口１ｃが、外装ボックス２のガラリ２０を介して室外と連通しているので、熱交換型換気装置１の周囲の空気が排気流（Ａ）によって、ガラリ２０から室外へと排出される。
このため、熱交換型換気装置１を屋外に設置する場合であっても、太陽光によって熱せられた外装ボックス２内の空気を排出することができ、熱交換型換気装置１を冷却することができる。よって、夏季における熱交換型換気装置１の本体の温度上昇を抑制し、熱交換効率（熱回収効果）の低下を抑制することができる。また、熱交換型換気装置１の周囲温度が使用可能温度以上となることを抑制することができる。
【００２２】
また、外装ボックス２のガラリ２０は、外気取り入れ口１ｂおよび排気吹き出し口１ｃと対向しない側面に形成されているので、排気吹き出し口１ｃからの排気（ＥＡ）が、室外の空気（ＯＡ）として外気取り入れ口１ｂへ吸い込まれるショートサーキットを防止することができる。また、排気吹き出し口１ｃとガラリ２０との間の風路の距離を長くすることができ、外装ボックス２内の空気の滞留を抑制し、冷却効果を向上することができる。
【００２３】
本実施の形態１に係る熱交換型換気システムを、外気温度が３８度の真夏日の炎天下で１時間運転を行った結果、熱交換型換気装置１の周囲温度の上昇を防ぐことができた。
一方、排気吹き出し口１ｃからの排気（ＥＡ）を、外装ボックス２を貫通するダクトを介して直接室外へ排出させる構成においては、同じ条件で運転を行った結果、熱交換型換気装置１の周囲温度が大きく上昇した。
【００２４】
このように、本実施の形態１に係る熱交換型換気システムは、屋外に設置することが可能であるので、例えば天井裏のスペースが狭く、熱交換型換気装置１が設置できなかった建物においても、屋外に熱交換型換気装置１を設置することが可能となり、設置の自由度が向上する。また、屋外への空気排出のためのダクトを廃止することができるうえ、屋外に設置することで外気取り入れのための外気給気ダクト３ｂを短くすることができるため、施工の手間及びコストを減らすことが可能である。
【００２５】
実施の形態２．
本実施の形態２では実施の形態１との相違点を中心に説明し、実施の形態１と同一の構成には同一の符号を付して説明を省略する。
【００２６】
図３は、実施の形態２に係る熱交換型換気システムの概略斜視図である。
図４は、実施の形態２に係る熱交換型換気システムの概略構成図である。
なお、図３及び図４の矢印は空気の流れを示している。
図３及び図４に示すように、本実施の形態２における熱交換型換気装置１の排気吹き出し口１ｃは、外装ボックス２を貫通する屋外排出ダクト３ｃを介して室外（屋外）と連通している。屋外排出ダクト３ｃは、排気吹き出し口１ｃから室外への風路を形成する。
外気取り入れ口１ｂは、熱交換型換気装置１の本体外側と外装ボックス２の内部との間の空間と連通している。
【００２７】
外装ボックス２には、屋外排出ダクト３ｃが貫通する貫通口２ｃが形成されている。なお、外気取り入れ口１ｂと対向する位置には貫通口が形成されていない。
なお、図３においては理解を容易にするため、各貫通口と各ダクトとの間を空けて図示しているが、実際には隙間は設けられてはおらず、各貫通口と各ダクトとの間から空気が流通するものではない。
【００２８】
外装ボックス２の内壁のうち、少なくとも外気取り入れ口１ｂと対向する内壁とガラリ２０が形成された内壁は、熱交換型換気装置１との間に間隔が設けられている。つまり、外装ボックス２の内壁と外気取り入れ口１ｂとの間には空間が形成され、この空間はガラリ２０を介して室外と連通する。
【００２９】
このような構成により、熱交換型換気装置１が動作すると、外装ボックス２のガラリ２０から給気流（Ｂ）が外装ボックス２内へ流入し、外装ボックス２の内壁と熱交換型換気装置１との間の空間を流通する。そして、外装ボックス２の内部を流通した給気流（Ｂ）は、室外の空気（ＯＡ）として外気取り入れ口１ｂから吸い込まれる。外気取り入れ口１ｂから吸い込まれた室外の空気（ＯＡ）は、給気風路１５を流れ、全熱交換器１０を通過して熱交換される。そして、熱交換された調整空気（ＳＡ）が、室内空気吹き出し口１ａから室内給気ダクト３ａを通過して室内へと供給される。
また、室内の空気（ＲＡ）が室内排気ダクト３ｄから室内空気吸い込み口１ｄへ吸い込まれる。吸い込まれた室内の空気（ＲＡ）は、排気風路１６を流れ、全熱交換器１０を通過して熱交換される。そして、熱交換された排気（ＥＡ）が、排気吹き出し口１ｃから屋外排出ダクト３ｃを通過して室外へと排出される。
【００３０】
以上のように本実施の形態２においては、熱交換型換気装置１の外気取り入れ口１ｂが、外装ボックス２のガラリ２０を介して室外と連通しているので、熱交換型換気装置１の周囲を通過した給気流（Ｂ）が室外の空気（ＯＡ）として外気取り入れ口１ｂから吸い込まれる。
このため、熱交換型換気装置１を屋外に設置する場合、太陽光によって熱せられた外装ボックス２内の空気を熱交換型換気装置１に取り入れることができる。
よって、冬期における冷たい外気を太陽光によってプレヒートすることができ、室内へ供給される調整空気（ＳＡ）の温度低下を抑制することができる。従って、室内の空調負荷を低減させることができる。
また、太陽光による自然エネルギーを利用したプレヒートであるため、製造コストの増大を抑制し、省エネルギー性を向上することができる。
【００３１】
また、外装ボックス２のガラリ２０は、外気取り入れ口１ｂおよび排気吹き出し口１ｃと対向しない側面に形成されているので、排気吹き出し口１ｃからの排気（ＥＡ）が、ガラリ２０から室外の空気（ＯＡ）として外気取り入れ口１ｂへ吸い込まれるショートサーキットを防止することができる。また、外気取り入れ口１ｂとガラリ２０との間の風路の距離を長くすることができ、外装ボックス２内の空気の滞留を抑制し、加熱効果を向上することができる。
【００３２】
このように、本実施の形態２に係る熱交換型換気システムは、屋外に設置することが可能であるので、例えば天井裏のスペースが狭く、熱交換型換気装置１が設置できなかった建物においても、屋外に熱交換型換気装置１を設置することが可能となり、設置の自由度が向上する。また、屋外から外気を取り入れのためのダクトを廃止することができるうえ、屋外に設置することで屋外へ空気を排出のための屋外排出ダクト３ｃを短くすることができるため、施工の手間及びコストを減らすことが可能である。
【００３３】
実施の形態３．
本実施の形態３では実施の形態１及び２との相違点を中心に説明し、実施の形態１及び２と同一の構成には同一の符号を付して説明を省略する。
【００３４】
図５及び図６は、実施の形態３に係る熱交換型換気システムの外装ボックス２の外形を示す斜視図である。
図５に示すように、本実施の形態３における外装ボックス２は、外気取り入れ口１ｂと対向する位置に貫通口２ｂが形成され、排気吹き出し口１ｃと対向する位置に貫通口２ｃが形成されている。
また、熱交換型換気装置１の外気取り入れ口１ｂには外気給気ダクト３ｂが着脱自在に接続でき、排気吹き出し口１ｃには屋外排出ダクト３ｃが着脱自在に接続できる。
【００３５】
このような構成により、上述した実施の形態１の構成と実施の形態２の構成とを任意に切り替えることが可能となる。
例えば図６に示すように、夏期においては、外気給気ダクト３ｂを外気取り入れ口１ｂに接続し、貫通口２ｃを閉塞部材２１によって閉塞する。なお、この閉塞部材２１は、貫通口２ｃに空気が流通させない構成であれば良く、例えば、平板等を着脱自在に取り付けても良いし、シャッター等を設けても良い。
これにより、上述した実施の形態１と同様の構成となり、上述した効果を奏することができる。
【００３６】
一方、冬期においては、外気給気ダクト３ｂを外気取り入れ口１ｂから取り外し、屋外排出ダクト３ｃを排気吹き出し口１ｃに接続する。そして、貫通口２ｂを閉塞部材２１によって閉塞する。
これにより、上述した実施の形態２と同様の構成となり、上述した効果を奏することができる。
【００３７】
以上のように本実施の形態３においては、外装ボックス２内の空気を排出する構成と、外装ボックス２内の空気を熱交換型換気装置１に取り入れる構成とを切り替えることができ、外気の温度帯（季節）に応じた適切な構成を選択することができる。
【００３８】
実施の形態４．
本実施の形態４では実施の形態１及び２との相違点を中心に説明し、実施の形態１及び２と同一の構成には同一の符号を付して説明を省略する。
【００３９】
図７及び図８は、実施の形態４に係る熱交換型換気システムの概略構成図である。
図７及び図８に示すように、本実施の形態４における熱交換型換気装置１の外気取り入れ口１ｂには外気給気ダクト３ｂが接続され、排気吹き出し口１ｃには屋外排出ダクト３ｃが接続されている。
さらに、外気給気ダクト３ｂには外気給気風路切替ダンパー４ｂが設けられ、屋外排出ダクト３ｃには屋外排出風路切替ダンパー４ｃが設けられている。
【００４０】
外気給気風路切替ダンパー４ｂは、外装ボックス２を貫通する外気給気ダクト３ｂを介して、外気取り入れ口１ｂと室外とを連通させる風路と、外装ボックス２のガラリ２０を介して、外気取り入れ口１ｂと室外とを連通させる風路とを切り替える。
屋外排出風路切替ダンパー４ｃは、外装ボックス２を貫通する屋外排出ダクト３ｃを介して、排気吹き出し口１ｃと室外とを連通させる風路と、外装ボックス２のガラリ２０を介して、排気吹き出し口１ｃと室外とを連通させる風路とを切り替える。
なお、外気給気風路切替ダンパー４ｂ及び屋外排出風路切替ダンパー４ｃは、例えば、手動操作によって風路切り替え操作を行う構成でも良いし、電動の駆動機構などによって遠隔操作が可能な構成でも良い。
【００４１】
なお、外気給気風路切替ダンパー４ｂは、本発明における「第１風路切替手段」に相当する。
また、屋外排出風路切替ダンパー４ｃは、本発明における「第２風路切替手段」に相当する。
【００４２】
このような構成により、上述した実施の形態１の構成と実施の形態２の構成とを任意に切り替えることが可能となる。
例えば図７に示すように、夏期においては、外気給気風路切替ダンパー４ｂを、外気給気ダクト３ｂを介して室外の空気（ＯＡ）を外気取り入れ口１ｂへ取り込む風路に切り替える。また、屋外排出風路切替ダンパー４ｃを、排気吹き出し口１ｃからの排気（ＥＡ）が外装ボックス２内へ排出される風路に切り替える。
これにより、上述した実施の形態１と同様の構成となり、上述した効果を奏することができる。
【００４３】
一方、冬期においては、図８に示すように、外気給気風路切替ダンパー４ｂを、外装ボックス２の内部から室外の空気（ＯＡ）を外気取り入れ口１ｂへ取り込む風路に切り替える。また、屋外排出風路切替ダンパー４ｃを、排気吹き出し口１ｃからの排気（ＥＡ）が屋外排出ダクト３ｃを介して室外へ排出される風路に切り替える。
これにより、上述した実施の形態２と同様の構成となり、上述した効果を奏することができる。
【００４４】
以上のように本実施の形態４においては、外装ボックス２内の空気を排出する構成と、外装ボックス２内の空気を熱交換型換気装置１に取り入れる構成とを切り替えることができ、外気の温度帯（季節）に応じた適切な構成を選択することができる。
また、外気給気風路切替ダンパー４ｂ及び屋外排出風路切替ダンパー４ｃによって、上記切り替えを行うことができるため、外気給気ダクト３ｂ及び屋外排出ダクト３ｃの付け替え作業を行う必要が無く、切り替えの手間を軽減することができる。
【符号の説明】
【００４５】
１  熱交換型換気装置、１ａ  室内空気吹き出し口、１ｂ  外気取り入れ口、１ｃ  排気吹き出し口、１ｄ  室内空気吸い込み口、２  外装ボックス、２ａ  貫通口、２ｂ  貫通口、２ｃ  貫通口、２ｄ  貫通口、３ａ  室内給気ダクト、３ｂ  外気給気ダクト、３ｃ  屋外排出ダクト、３ｄ  室内排気ダクト、４ｂ  外気給気風路切替ダンパー、４ｃ  屋外排出風路切替ダンパー、１０  全熱交換器、１１ａ  給気用送風機、１１ｃ  排気用送風機、１５  給気風路、１６  排気風路、２０  ガラリ、２１  閉塞部材。
【図１】
2015129621.tif 000003
【図２】
2015129621.tif 000004
【図３】
2015129621.tif 000005
【図４】
2015129621.tif 000006
【図５】
2015129621.tif 000007
【図６】
2015129621.tif 000008
【図７】
2015129621.tif 000009
【図８】
2015129621.tif 000010